(57)【要約】【課題】  操作性を悪化させずに、消費電力を低減したデジタルカメラを提供する。【解決手段】  ＣＰＵ３１は、電圧検出回路５４から電源部５３の電圧値を取得して、この電圧値と所定電圧値とを比較する。また、ＣＰＵ３１は、ＥＥＰＲＯＭ５２に記憶されている給電モードの状態を取得して、通常給電モード、または省電力モードに設定されているかを判定する。電圧値が所定電圧値未満の場合、または給電モードが省電力モードに設定されている場合、ＣＰＵ３１は、カラーＬＣＤ１７を駆動させずに、モノクロＬＣＤ１８のみを制御して、スルー画、記録画像等の画像、または各種設定画面等をモノクロ表示する。【選択図】        図３
2005260879.tif 000002
【特許請求の範囲】
【請求項１】
撮影レンズによって結像された被写体像を光電変換して撮影画像を得る撮像手段を備え、この撮像手段によって撮像された画像をリアルタイムで再生するスルー画と、記録画像とを表示可能なデジタルカメラにおいて、
画像や文字をカラー表示可能な透過型のカラー液晶表示装置と、画像や文字をモノクロ表示可能な反射型のモノクロ液晶表示装置と、各部に給電を行う電源と、前記電源の電圧を検出する電圧検出手段と、前記電圧検出手段により検出された電圧値と所定電圧値とを比較して、前記電圧値が前記所定電圧値未満の場合、前記カラー液晶表示装置を駆動せずに、前記モノクロ液晶表示装置のみを制御して、前記スルー画、前記記録画像、または各種設定画面をモノクロ表示させる制御手段とを備えていることを特徴とするデジタルカメラ。
【請求項２】
通常給電モードと通常給電モードよりも消費電力を低く抑えた省電力モードとの切替え操作が可能な給電モード切替手段をさらに備え、前記給電モード切替手段により前記省電力モードに設定された場合、前記カラー液晶表示装置を駆動せずに、前記モノクロ液晶表示装置のみを制御して、前記スルー画、前記記録画像、または各種設定画面をモノクロ表示させることを特徴とする請求項１記載のデジタルカメラ。
【請求項３】
前記制御手段は、前記電圧検出手段により検出された電圧値と所定電圧値とを比較して前記電圧値が前記所定電圧値未満の場合、または前記給電モード切替手段により前記省電力モードに設定された場合、前記モノクロ液晶表示装置を制御して前記スルー画をモノクロ表示させ、撮影直後に、記録前の画像であるプレビュー画像を前記カラー液晶表示装置に表示させることを特徴とする請求項１または請求項２記載のデジタルカメラ。
【請求項４】
前記制御手段は、前記電圧検出手段により検出された電圧値と所定電圧値とを比較して前記電圧値が前記所定電圧値未満の場合、または前記給電モード切替手段により前記省電力モードに設定された場合、前記モノクロ液晶表示装置を制御して前記スルー画をモノクロ表示させ、シャッタボタンが押圧されて自動露出調整及び自動焦点調整が完了した後一定時間、前記カラー液晶表示装置を制御して、前記スルー画をカラー表示させることを特徴とする請求項１ないし３のいずれか記載のデジタルカメラ。
【請求項５】
自動露出調整を行うＡＥ検出手段をさらに備え、前記電圧検出手段により検出された電圧値と所定電圧値とを比較して前記電圧値が前記所定電圧値未満の場合、または前記給電モード切替手段により前記省電力モードに設定された場合、前記制御手段は、前記ＡＥ検出手段により検出された輝度値と所定輝度値とを比較し、前記輝度値が所定輝度値よりも低い時に、前記モノクロ液晶表示装置を駆動せず、前記カラー液晶表示装置のみを制御して前記通常給電モード時よりも輝度を落として、前記スルー画、前記プレビュー画、前記記録画像、または各種表示画面を表示させることを特徴とする請求項１ないし４のいずれか記載のデジタルカメラ。
【請求項６】
前記カラー液晶表示装置、及び前記モノクロ液晶表示装置は、略同じ大きさの表示画面を有し、略同じ大きさの画像を表示することができることを特徴とする請求項１ないし５のいずれか記載のデジタルカメラ。
【発明の詳細な説明】
【技術分野】
【０００１】
本発明は、消費電力を低減させる省電力モードを有し、撮影可能な画像枚数を増加させたデジタルカメラに関する。
【背景技術】
【０００２】
撮影レンズによって結像された被写体像を光電変換して撮影画像を得るＣＣＤイメージセンサ等の撮像手段を備え、撮像手段により取得された撮影画像をデジタルデータとしてメモリカード等の記録媒体に記録するデジタルカメラが知られている。このようなデジタルカメラの多くは、フレーミングの際に、撮像手段が撮像した画像をリアルタイムで再生し、これをスルー画として表示する電子ビューファインダが設けられている。このような電子ビューファインダは、通常バックライトを有する透過型のカラー液晶画面で構成されており、消費電力が大きいために撮影時間が短くなるという問題があった。
【０００３】
このような問題を解決するために、省電力モードに設定された時に、オートフォーカス機能をオフにして合焦調整を手動とし、手振れ検出補正機能をオフ、液晶モニタをオフにする等、複数の撮影補助機能を一括して停止させるビデオカメラが知られている（例えば、特許文献１参照）。
【０００４】
【特許文献１】特開平１０−９８６４３号公報
【発明の開示】
【発明が解決しようとする課題】
【０００５】
しかしながら、上記特許文献１に記載のビデオカメラをデジタルカメラに適用すると、省電力モードに設定された時に、節電を行うために各種機能を一括して停止させるので、オートフォーカス機能が停止されて合焦調整が手動操作になるなど、デジタルカメラの操作性が悪化するという問題があった。
【０００６】
本発明は上記事情に鑑みてなされたものであり、デジタルカメラの操作性を悪化させることなく、消費電力を抑えて撮影可能な画像の枚数を増加させることが可能なデジタルカメラを提供することを目的とする。
【課題を解決するための手段】
【０００７】
上記課題を解決するために、本発明のデジタルカメラは、撮影レンズによって結像された被写体像を光電変換して撮影画像を得る撮像手段を備え、この撮像手段によって撮像された画像をリアルタイムで再生するスルー画と、記録画像とを表示可能なデジタルカメラであり、画像や文字をカラー表示可能な透過型のカラー液晶表示装置と、画像や文字をモノクロ表示可能な反射型のモノクロ液晶表示装置と、各部に給電を行う電源と、前記電源の電圧を検出する電圧検出手段と、前記電圧検出手段により検出された電圧値と所定電圧値とを比較して、前記電圧値が前記所定電圧値未満の場合、前記カラー液晶表示装置を駆動せずに、前記モノクロ液晶表示装置のみを制御して、前記スルー画、前記記録画像、または各種設定画面をモノクロ表示させる制御手段とを備えていることを特徴とするものである。
【０００８】
また、通常給電モードと通常給電モードよりも消費電力を低く抑えた省電力モードとの切替え操作が可能な給電モード切替手段をさらに備え、前記給電モード切替手段により前記省電力モードに設定された場合、前記カラー液晶表示装置を駆動せずに、前記モノクロ液晶表示装置のみを制御して、前記スルー画、前記記録画像、または各種設定画面をモノクロ表示させることが好ましい。
【０００９】
さらに、前記制御手段は、前記電圧検出手段により検出された電圧値と所定電圧値とを比較して前記電圧値が前記所定電圧値未満の場合、または前記給電モード切替手段により前記省電力モードに設定された場合、前記モノクロ液晶表示装置を制御して前記スルー画をモノクロ表示させ、撮影直後に、記録前の画像であるプレビュー画像を前記カラー液晶表示装置に表示させることが好ましい。
【００１０】
また、前記制御手段は、前記電圧検出手段により検出された電圧値と所定電圧値とを比較して前記電圧値が前記所定電圧値未満の場合、または前記給電モード切替手段により前記省電力モードに設定された場合、前記モノクロ液晶表示装置を制御して前記スルー画をモノクロ表示させ、シャッタボタンが押圧されて自動露出調整及び自動焦点調整が完了した後一定時間、前記カラー液晶表示装置を制御して、前記スルー画をカラー表示させることが好ましい。
【００１１】
自動露出調整を行うＡＥ検出手段をさらに備え、前記電圧検出手段により検出された電圧値と所定電圧値とを比較して前記電圧値が前記所定電圧値未満の場合、または前記給電モード切替手段により前記省電力モードに設定された場合、前記制御手段は、前記ＡＥ検出手段により検出された輝度値と所定輝度値とを比較し、前記輝度値が所定輝度値よりも低い時に、前記モノクロ液晶表示装置を駆動せず、前記カラー液晶表示装置のみを制御して前記通常給電モード時よりも輝度を落として、前記スルー画、前記プレビュー画、前記記録画像、または各種表示画面を表示させることが好ましい。
【００１２】
前記カラー液晶表示装置、及び前記モノクロ液晶表示装置は、略同じ大きさの表示画面を有し、略同じ大きさの画像を表示できることが好ましい。
【発明の効果】
【００１３】
本発明のデジタルカメラによれば、電源の電圧が所定の電圧未満である場合、または省電力モード選択ボタンにより省電力モードに設定されている場合、消費電力の小さい反射型のモノクロ液晶表示装置のみを使用して、スルー画、記録画像等の画像や、設定画面等をモノクロ表示するようにしたので、消費電力を低減できるため電源の寿命が延びる。このため、撮影可能な画像の枚数を増加させることができる。また、消費電力を低減させるために、撮影補助機能を停止させないので、デジタルカメラの操作性が悪化しない。さらに、カラー液晶表示装置とモノクロ液晶表示装置は、略同一の大きさの画面を有し、略同じ大きさの画像を表示させることができるので、モノクロ表示画像の視認性の低下が抑制されている。
【００１４】
また、電源の電圧が所定の電圧未満である場合、または省電力モード選択ボタンにより省電力モードに設定されている場合でも、デジタルカメラの外部が暗い時に、通常給電モード時よりも低い輝度で、スルー画、記録画像等の画像や、設定画面等を透過型のカラー液晶表示装置にカラー表示するので、暗い場所でもスルー画、記録画像等の画像や、設定画面等を視認可能であり、通常給電モード時よりも消費電力を低減できる。
【発明を実施するための最良の形態】
【００１５】
図１は、デジタルカメラの外観形状を示す外観斜視図であり、図２は、デジタルカメラの背面形状を示す背面図である。デジタルカメラ１０の前面には、撮影レンズ１１が組み込まれたレンズ鏡筒１２、光学ファインダを構成するファインダ対物窓１３、グリップ部１４が設けられている。また、デジタルカメラ１０の上面には、ポップアップ式のストロボ発光部１５、シャッタボタン１６が設けられている。
【００１６】
また、デジタルカメラ１０の背面には、透過型のカラー液晶表示装置（ＬＣＤ）１７、反射型のモノクロＬＣＤ１８、光学ファインダを構成するファインダ接眼窓１９、カーソル操作ボタン２０、ズーム操作ボタン２１、モード切替スイッチ２２、電源のオン／オフ切替えを行う電源ボタン２３、メニューボタン２４、給電モード切替手段である省電力モード選択ボタン２５が設けられている。
【００１７】
シャッタボタン１６は、２段押しのスイッチとなっており、カラーＬＣＤ１７、モノクロＬＣＤ１８、光学ファインダのいずれか１つによりフレーミングを行った後、シャッタボタン１６を軽く押圧（半押し）すると、自動露出調整（ＡＥ）、自動焦点調整（ＡＦ）などの各種撮影準備処理が施される。さらに、シャッタボタン１６をもう一度強く押圧（全押し）すると、撮影準備処理が施された１画面分の撮像信号が画像データに変換された後、記録メディア４８（図３参照）に記録される。
【００１８】
モード切替スイッチ２２は、撮影モードと再生モードとを切替える際に撮影者により操作される。メニューボタン２４が押圧されると、カラーＬＣＤ１７またはモノクロＬＣＤ１８にメニュー画面が表示される。省電力モード選択ボタン２５は、撮影者により押圧されることにより、通常給電モードから省電力モードに切替えられる。また、省電力モードに設定されている時に、省電力モード選択ボタン２５が押圧されると、省電力モードが解除されて、再び通常給電モードとなる。
【００１９】
図３は、デジタルカメラ１０の電気的構成の主要部を示すブロック図である。撮影レンズ１１は、ズームレンズ、フォーカスレンズ、絞り等を含んで構成されており、これらは、図示せぬモータにより光軸方向に進退移動される。このモータは、モータドライバ３０を介して、デジタルカメラ１０の全体を制御する制御手段であるＣＰＵ３１に接続されている。ＣＰＵ３１は、モータドライバ３０を制御することにより、モータを駆動して、ズームレンズまたはフォーカスレンズを移動させる。
【００２０】
撮影レンズ１１の背後には、撮像手段であるＣＣＤ３２が配置されている。撮影レンズ１１は、ＣＣＤ３２の受光面に被写体像を結像させる。ＣＣＤ３２は、タイミングジェネレータ３３を介してＣＰＵ３１に接続されており、ＣＰＵ３１がタイミングジェネレータ３３を制御することにより、タイミング信号（クロックパルス）を発生させる。ＣＣＤ３２は、このタイミング信号が入力されることにより駆動し、光電変換により被写体像を電気信号に変換して画像信号を相関二重サンプリング回路であるＣＤＳ３４に送信する。ＣＤＳ３４は、ＣＣＤ３２から画像信号を取得して、ＣＣＤ３２の各セルの蓄積電荷量に正確に対応したＲＧＢの画像データとして出力する。ＣＤＳ３４から出力された画像データは、増幅器（ＡＭＰ）３５で増幅され、さらにＡ／Ｄ変換器３６でデジタルデータに変換されて、画像入力コントローラ３７に出力される。
【００２１】
画像入力コントローラ３７は、データバス４０を介してＣＰＵ３１に接続されている。ＣＰＵ３１は、画像入力コントローラ３７を制御して、画像データをビデオメモリ４１、あるいはバッファメモリ４２に記憶させる。
【００２２】
ビデオメモリ４１は、カラーＬＣＤ１７またはモノクロＬＣＤ１８を電子ビューファインダとして使用する際に、解像度の低い画像データが一時的に記憶される。ビデオメモリ４１に記録された画像データは、データバス４０を介してＬＣＤドライバ４３に送信される。ＬＣＤドライバ４３は、カラーＬＣＤ１７、またはモノクロＬＣＤ１８に画像を表示できるように、画像データに対して信号処理を施して、画像をカラーＬＣＤ１７またはモノクロＬＣＤ１８に表示させる。また、ＣＰＵ３１は、ＬＣＤドライバ４３を制御することにより、カラーＬＣＤ１７、及びモノクロＬＣＤ１８に文字や記号で構成される各種設定画面を表示することが可能である。
【００２３】
また、カラーＬＣＤ１７は、透過型の液晶表示装置であり、その背後にバックライト（ＢＬ）４４を備えている。ＣＰＵ３１は、カラーＬＣＤ１７に画像または各種設定画面を表示する時に、ＬＣＤドライバ４３と共にバックライト４４を制御して、バックライト４４を光源として画像や各種設定画面等を表示させる。モノクロＬＣＤ１８は、反射型の液晶表示装置であり、外光を光源として利用しているのでバックライトが設けられていない。このため、モノクロＬＣＤ１８は、カラーＬＣＤ１７の１／５０程度の電力で画像や各種設定画面を表示できる。
【００２４】
バッファメモリ４２は、撮像された高解像度の画像データが一時的に記憶される。また、ＣＰＵ３１には、データバス４０を介して画像信号処理部４５が接続されている。画像信号処理部４５は、撮像された高解像度の画像データがバッファメモリ４２に記録されている間に、各種画像処理、例えば、階調変換、色変換、ハイパートーン処理、及びハイパーシャープネス処理等を施す。
【００２５】
また、ＣＰＵ３１には、データバス４０を介して圧縮・伸張回路４６、メディアコントローラ４７が接続されている。ＣＰＵ３１は、この圧縮・伸張回路４６を制御して、バッファメモリ４２に記憶された画像データに対して、ＪＰＥＧ方式等の圧縮形式により圧縮処理を施す。その後、ＣＰＵ３１はメディアコントローラ４７を制御して、圧縮処理された画像データをメモリカード等の記録媒体である記録メディア４８に記録させる。
【００２６】
この記録メディア４８に記録された画像データを再生する場合は、ＣＰＵ３１がメディアコントローラ４７を制御して、記録メディア４８から画像データを読み出し、さらに、圧縮・伸張回路４６を制御して、圧縮された画像データの伸張処理を行う。ＣＰＵ３１は、ＬＣＤドライバ４３を制御して、この画像データをカラーＬＣＤ１７、またはモノクロＬＣＤ１８に表示して記録画像の再生を行う。
【００２７】
ＣＰＵ３１には、データバス４０を介してＡＦ検出回路４９、ＡＥ／ＡＷＢ検出回路５０に接続されている。ＣＰＵ３１は、ＡＦ検出回路４９及びＡＥ／ＡＷＢ検出回路５０を制御して自動焦点調整、自動露出調整、ホワイトバランス補正が最適となるＡＦ検出値、ＡＥ／ＡＷＢ検出値を検出させる。ＣＰＵ３１は、ＡＦ検出値及びＡＥ／ＡＷＢ検出値に基づいて、フォーカスレンズ、絞り、ＣＣＤ３２等を制御する。ＡＥ／ＡＷＢ検出回路５０は、画像信号処理部４５を介して取得した画像データの輝度信号に基づいて測光を行う。ＣＰＵ３１は、ＡＥ／ＡＷＢ検出回路５０から輝度値を取得し、この輝度値と所定輝度値とを比較する。ＣＰＵ３１は、この輝度値が所定輝度値よりも低く、省電力モードに設定されている場合、モノクロＬＣＤ１７を駆動せずに、ＬＣＤドライバ４３を介してカラーＬＣＤ１８のみを制御して、通常給電モードよりも低い輝度になるように、バックライト４４を制御して、画像または各種設定画面をカラー表示する。
【００２８】
また、ＣＰＵ３１には、撮影者からの指令を取得する操作部５１が接続されている。この操作部５１は、前述のシャッタボタン１６、カーソル操作ボタン２０、ズーム操作ボタン２１、モード切替スイッチ２２、電源スイッチ２３、メニューボタン２４、及び省電力モード選択ボタン２５で構成されている。ＣＰＵ３１は、操作部５１を介して撮影者の指令を取得して、各指令に基づいて各部を制御する。
【００２９】
また、ＣＰＵ３１には、ＥＥＰＲＯＭ５２、デジタルカメラ１０の各部に給電を行う電源である電源部５３、電圧検出手段である電圧検出回路５４、クロックジェネレータ５５が接続されている。ＥＥＰＲＯＭ５２は、給電モードが通常給電モード、省電力モードのどちらに設定されているかを記憶する記憶媒体であり、省電力モード選択ボタン２５が押圧された時に給電モードの切替えが行われて、給電モードの状態がＥＥＰＲＯＭ５２に記憶される。
【００３０】
ＣＰＵ３１は、電源部５３を制御することによりデジタルカメラ１０を構成する各ブロックに給電を行う。また、電圧検出回路５４は、電源部５３の電圧を検出して電圧値をＣＰＵ３１に出力する。ＣＰＵ３１は、この電圧値と所定電圧値とを比較して、電圧値が所定電圧値以上の場合は通常給電モード、所定電圧値未満の場合は省電力モードに自動的に切替えを行う。ＣＰＵ３１は、通常給電モードに設定されている場合は、図６（Ａ）に示すように、カラーＬＣＤ１７に画像をカラー表示させ、モノクロＬＣＤ１８に文字や記号により構成される各種設定画面等を表示させる。また、省電力モードに設定されている場合は、図６（Ｂ）に示すように、カラーＬＣＤ１７を駆動させずに、モノクロＬＣＤ１８を制御して画像や文字を表示させる。
【００３１】
また、ＣＰＵ３１はクロックジェネレータ５５を制御してクロックパルスを発生させて、各ブロックに供給することにより、各ブロックを駆動している。
【００３２】
次に、上記構成のデジタルカメラ１０の作用について図４及び図５のフローチャートを用いて説明を行う。電源スイッチ２３がＯＮにされると、ＣＰＵ３１は、電圧検出回路５４から電源部５３の電圧値を取得する。ＣＰＵ３１は、取得した電圧値とシステムエンド電圧値とを比較する。電圧値がシステムエンド電圧値よりも低い場合には、デジタルカメラ１０で各種処理を実行することが不可能な電圧であるので処理を終了する。
【００３３】
電圧値がシステム電圧値以上の場合は、次の処理に進み、ＣＰＵ３１が、撮影モードに設定されているか否かを判定する。撮影モードに設定されている場合、ＣＰＵ３１は、前述の電圧値と所定電圧値とを比較する。電圧値が所定電圧値以上の場合、ＣＰＵ３１は、ＥＥＰＲＯＭ５２から給電モードの設定状態を読み込み、省電力モードに設定されているか否かを判定する。省電力モードに設定されていない場合には、図６（Ａ）に示すように、ＣＰＵ３１がカラーＬＣＤ１７を制御してスルー画をカラー表示し、さらにモノクロＬＣＤ１８を制御して、日付や現在の設定値等の情報を表示する。その後、シャッタボタン１６が半押しされて、自動露光調整や自動焦点調整等の撮影準備が施され、さらにシャッタボタン１６が全押しされた時に、撮影が実行されて撮影画像が記録メディア４８に記録される。
【００３４】
また、電圧値が所定電圧値未満の場合、または省電力モードに設定されている場合は、図６（Ｂ）に示すように、ＣＰＵ３１が、カラーＬＣＤ１７を駆動させずに、モノクロＬＣＤ１８のみを制御してスルー画をモノクロ表示する。この時、ＣＰＵ３１がモノクロＬＣＤ１８を制御して、日付や現在の設定値等の情報を画像に重ねて表示しても良い。その後、シャッタボタン１６が半押しされて、自動露光調整や自動焦点調整等の撮影準備が施され、さらにシャッタボタン１６が全押しされた時に、撮影が実行されて撮影画像が記録メディア４８に記録される。
【００３５】
なお、シャッタボタン１６が半押しされて前述の撮影準備が完了した後に、ＣＰＵ３１がカラーＬＣＤ１７を制御して、一定時間、例えば２〜３秒程度スルー画をカラー表示して、その後、シャッタボタン１６が半押しされた状態であれば、スルー画がモノクロ表示に戻されるようにしても良い。この場合は、撮影準備が施された画像をカラー表示で確認できるので、撮影時の視認性を向上させることができる。また、シャッタボタン１６が全押しされた時に、ＣＰＵ３１がカラーＬＣＤ１７を制御して、記録前の撮影画像であるプレビュー画像を一定時間、例えば２〜３秒程度カラー表示するようにしても良い。この場合は、記録メディア４８に記録される画像の視認性を向上させることができる。
【００３６】
その後、撮影を終了する場合は処理を終了し、撮影を続行する場合には再び電源部５３の電圧が所定電圧以上か否かを判定する処理に戻り、同様の処理を繰り返す。
【００３７】
また、撮影モードに設定されていない場合、つまり、再生モードに設定されている場合、ＣＰＵ３１は、撮影モードの場合と同様に電源部５３の電圧が所定電圧値以上か否かの判定を行う。所定電圧値以上であると判定された場合、ＣＰＵ３１は、ＥＥＰＲＯＭ５２から給電モードの設定状態を読み込み、省電力モードに設定されているか否かの判定を行う。省電力モードに設定されていないと判定された場合、図６（Ａ）に示すように、ＣＰＵ３１がカラーＬＣＤ１７を制御して、記録メディア４８に記録された記録画像をカラー表示し、さらに、モノクロＬＣＤ１８を制御して、撮影日時等の情報をモノクロ表示する。
【００３８】
電源部５３の電圧値が所定電圧値未満であると判定された場合、または省電力モードに設定されていると判定された場合には、図６（Ｂ）に示すように、ＣＰＵ３１はカラーＬＣＤ１７を駆動させずに、モノクロＬＣＤ１８のみを制御して、記録メディア４８に記録された記録画像をモノクロ表示する。この時、ＣＰＵ３１がモノクロＬＣＤ１８を制御して、撮影日時等の情報を記録画像に重ねて表示させても良い。
【００３９】
その後、記録画像の再生を終了する場合には、処理を終了する。また、記録画像の再生を続行する場合には、電源部の電圧が所定電圧値以上か否かを判定する処理に戻り、同様の処理を繰り返す。
【００４０】
こうように、電源部５３の電圧値が所定電圧値未満の場合、または省電力モード選択ボタン２５により省電力モードに設定されている場合、消費電力の小さい反射型のモノクロＬＣＤ１８のみを使用して、スルー画、記録画像等の画像や、設定画面等をモノクロ表示するようにしたので、消費電力を低減できるため電源の寿命が延びる。このため、撮影可能な画像の枚数を増加させることができる。
【００４１】
また、消費電力を低減させるために、撮影補助機能を停止させないので、デジタルカメラ１０の操作性が悪化しない。さらに、カラーＬＣＤ１７とモノクロＬＣＤ１８は、略同一の大きさの画面を有し、略同じ大きさの画像を表示させることができるので、モノクロ表示画像の視認性の低下が抑制されている。
【００４２】
なお、上記作用の説明では、撮影モードにおいて、電源部５３の電圧値が所定電圧値未満の場合、または省電力モードに設定されている場合、スルー画をモノクロＬＣＤ１８にモノクロ表示するように説明したが、ＣＰＵ３１が、ＡＥ／ＡＷＢ検出回路５０にて検出された輝度値と所定輝度値とを比較して、所定輝度値よりも低い場合には、外光を光源とする反射型のモノクロＬＣＤ１８の画面が見えないと判定して、モノクロＬＣＤ１８を駆動せずにカラーＬＣＤ１７を制御して、通常給電モードの場合よりも輝度を落としてスルー画、記録画像等の画像、または各種設定画面をカラー表示するようにしても良い。この場合、モノクロＬＣＤ１８に画像を表示する場合よりも消費電力が大きいが、通常給電モードの場合よりも消費電力を低減することができ、暗い場所でもスルー画、記録画像、各種設定画面を視認することができる。
【００４３】
また、本実施形態においては、省電力モード設定ボタンを設けて通常給電モードと省電力モードとの切替えを手動で行えるように説明したが、省電力モード設定ボタンを設けなくても良い。
【００４４】
さらに、本実施形態においては、撮影モードと再生モードについてのみ説明を行ったが、メニューボタン２４が押された時に表示されるメニュー画面、各種設定場面等の表示する場合にも、通常給電モードと省電力モードとが切替えられて、省電力モードの時に、カラーＬＣＤ１７を駆動させずに、メニュー画面、各種設定場面等がモノクロＬＣＤ１８にモノクロ表示されるようにしても良い。
【００４５】
また、本実施形態では、２次元画像のみを撮影可能なデジタルカメラを用いて説明を行ったが、これに限るものではなく、３次元画像（立体画像）撮影可能なデジタルカメラや、動画撮影可能なデジタルカメラに本発明を適用しても良い。
【図面の簡単な説明】
【００４６】
【図１】デジタルカメラの外観斜視図である。
【図２】デジタルカメラの背面図である。
【図３】デジタルカメラの電気的構成を示すブロック図である。
【図４】デジタルカメラの作用を説明するフローチャートである。
【図５】デジタルカメラの作用を説明するフローチャートである。
【図６】カラーＬＣＤ、モノクロＬＣＤの作用を示す説明図である。
【符号の説明】
【００４７】
１０  デジタルカメラ
１１  撮影レンズ
１６  シャッタボタン
１７  カラーＬＣＤ
１８  モノクロＬＣＤ
２５  省電力モード選択ボタン
３１  ＣＰＵ
３２  ＣＣＤ
４４  バックライト
５０  ＡＥ／ＡＷＢ検出回路
５２  ＥＥＰＲＯＭ
５３  電源部
５４  電圧検出回路
【図１】
2005260879.tif 000003
【図２】
2005260879.tif 000004
【図３】
2005260879.tif 000005
【図４】
2005260879.tif 000006
【図５】
2005260879.tif 000007
【図６】
2005260879.tif 000008